(57)【要約】【課題】浮遊汚れの排出が容易な排水トラップを提供する。【解決手段】排水トラップであって、上部に形成された入水口と、側部に形成された流出口と、を有し、内部に水を一時的に貯留することが可能なトラップ本体と、上下に貫通した筒状部と、前記筒状部の上端から外方へ延出する環状部とを有し、前記トラップ本体の前記入水口に着脱可能に取り付けられる封水筒と、を備え、前記排水トラップ内の水位が前記流出口の上端よりも高い位置にある場合において、前記筒状部と前記流出口との間を繋ぐ外側流路に浮遊汚れが残留することを防止するために、前記外側流路の上壁を凹部を有さない形状で構成したことを特徴とする。【選択図】図４
2017201081.tif 000002
【特許請求の範囲】
【請求項１】
排水トラップであって、
上部に形成された入水口と、側部に形成された流出口と、を有し、内部に水を一時的に貯留することが可能なトラップ本体と、
上下に貫通した筒状部と、前記筒状部の上端から外方へ延出する環状部とを有し、前記トラップ本体の前記入水口に着脱可能に取り付けられる封水筒と、
を備え、
前記排水トラップ内の水位が前記流出口の上端よりも高い位置にある場合において、前記筒状部と前記流出口との間を繋ぐ外側流路に浮遊汚れが残留することを防止するために、前記外側流路の上壁を凹部を有さない形状で構成したことを特徴とする排水トラップ。
【請求項２】
前記外側流路の上壁は、水平状、前記流出口に向かって上昇傾斜状、または水平状と前記上昇傾斜状との組み合わせで構成されていることを特徴とする請求項１記載の排水トラップ。
【請求項３】
前記外側流路の上壁は、前記封水筒によって全体が形成されていることを特徴とする請求項１または２に記載の排水トラップ。
【発明の詳細な説明】
【技術分野】
【０００１】
本発明の態様は、一般的に、排水トラップに関する。
【背景技術】
【０００２】
流し台、洗面ボウル、浴室やシャワールームの洗い場床などには、排水管からの臭気の逆流を防止する排水トラップが設けられている。排水トラップ内の汚れを排出するためには、排水トラップの封水を新しい水に置換することが有効である。従来、排水トラップ内の汚れを排出する際には、封水の置換率を高めることを目的として、排水トラップに大流量の水を流していた（例えば、特許文献１参照）。
【先行技術文献】
【特許文献】
【０００３】
【特許文献１】特開２００９−２１３８７５号公報
【発明の概要】
【発明が解決しようとする課題】
【０００４】
発明者は、排水トラップに大流量の水を流した場合、排水トラップ内に沈殿している沈殿汚れは排出されるものの、水に浮いている浮遊汚れは排出され難いことを発見した。このため、特に、シャンプーや石鹸などの泡汚れが発生しやすい浴室などの排水トラップにおいては、トラップ内の置換率を十分に高めることができず、未だ改善の余地があることがわかった。
さらに、発明者は、この浮遊汚れが、排水トラップに多量の水を流した際に、排水トラップ上部の凹部に入り込んで残留するために、排水トラップの外へ排出され難いことを発見した。
本発明は、かかる課題の認識に基づいてなされたものであり、浮遊汚れの排出が容易な排水トラップを提供することを目的とする。
【課題を解決するための手段】
【０００５】
第１の発明は、排水トラップであって、上部に形成された入水口と、側部に形成された流出口と、を有し、内部に水を一時的に貯留することが可能なトラップ本体と、上下に貫通した筒状部と、前記筒状部の上端から外方へ延出する環状部とを有し、前記トラップ本体の前記入水口に着脱可能に取り付けられる封水筒と、を備え、前記排水トラップ内の水位が前記流出口の上端よりも高い位置にある場合において、前記筒状部と前記流出口との間を繋ぐ外側流路に浮遊汚れが残留することを防止するために、前記外側流路の上壁を凹部を有さない形状で構成したことを特徴とする排水トラップである。
【０００６】
この排水トラップによれば、外側流路の上壁の凹部における浮遊汚れの残留が防止されるため、浮遊汚れの排出が容易となる。
【０００７】
第２の発明は、第１の発明において、前記外側流路の上壁は、水平状、前記流出口に向かって上昇傾斜状、または水平状と前記上昇傾斜状との組み合わせで構成されていることを特徴とする排水トラップである。
【０００８】
この排水トラップによれば、浮遊汚れが、外側流路の上壁で滞らずに流れ、排水トラップ外へより排出され易くなる。
【０００９】
第３の発明は、第１または第２の発明において、前記外側流路の上壁は、前記封水筒によって全体が形成されていることを特徴とする排水トラップである。
【００１０】
この排水トラップによれば、トラップ本体によって前記外側流路の上壁が形成されている場合に比べて、入水口の径を大きくし、排水トラップ内の清掃性を向上させることができる。
【発明の効果】
【００１１】
本発明の態様によれば、浮遊汚れの排出が容易な排水トラップが提供される。
【図面の簡単な説明】
【００１２】
【図１】実施形態に係る排水トラップが設けられた浴室を表す斜視図である。
【図２】実施形態に係る排水トラップを表す斜視図である。
【図３】実施形態に係る排水トラップを表す分解斜視図である。
【図４】実施形態に係る排水トラップを表す断面図である。
【図５】参考例に係る排水トラップを表す断面図である。
【図６】実施形態の変形例に係る排水トラップを表す断面図である。
【発明を実施するための形態】
【００１３】
以下、本発明の実施の形態について図面を参照しつつ説明する。なお、各図面中、同様の構成要素には同一の符号を付して詳細な説明は適宜省略する。
【００１４】
実施形態に係る排水トラップは、例えば、浴室に設けられる。
図１（ａ）および図１（ｂ）は、実施形態に係る排水トラップが設けられた浴室５００を表す斜視図である。  
図１（ａ）に表すように、浴室５００には、浴槽５１０、洗い場床５２０、およびカウンタ５３０が設けられている。また、浴室５００の壁面には、不図示のドアが設けられている。
【００１５】
以降では、実施形態の説明のために、「上方」、「下方」、「前方」、「後方」、「右側方」、および「左側方」を用いる。「上方」および「下方」は、浴室５００内の使用者から見た場合を基準としている。また、浴槽５１０から洗い場床５２０に向かう方向を「右側方」とし、これと反対の方向を「左側方」としている。
【００１６】
洗い場床５２０には、排水口５２１が設けられている。排水口５２１は、洗い場床５２０の浴槽５１０側に設けられ、洗い場床５２０の前後方向の略中心に位置している。洗い場床５２０の上面は、排水口５２１へ向かって緩やかに傾斜している。
【００１７】
浴室５００の壁には、鏡、給水栓、シャワーホースなどが適宜設けられている。カウンタ５３０は、浴室５００の壁に取り付けられ、鏡や給水栓などの下方に位置している。また、カウンタ５３０は、洗い場床５２０から上方に離間している。カウンタ５３０の幅（左右方向の寸法）は、洗い場床５２０の幅と略同じである。カウンタ５３０は、図１（ｂ）に表すように、例えば、天板５３１と下カバー５３２とを有する。
【００１８】
浴室５００には、さらに排水トラップ洗浄装置６００が設けられていてもよい。排水トラップ洗浄装置６００は、実施形態に係る排水トラップの洗浄に用いられる。排水トラップ洗浄装置６００は、吐水部６１０および制御部６２０を有する。吐水部６１０は、カウンタ５３０の下に設けられ、洗い場床５２０から上方に離間している。吐水部６１０は、例えば、カウンタ５３０の左右方向における中央付近に設置されている。
【００１９】
吐水部６１０は、不図示の給水管等と接続され、排水口５２１に対して洗浄水を供給可能に構成されている。吐水部６１０は、さらに除菌水生成部などを有し、排水口５２１に対して除菌水を供給可能に構成されていてもよい。この場合、除菌水生成部は、例えば、カウンタ５３０の内部（天板５３１と下カバー５３２との間）に設けられる。
【００２０】
除菌水生成部としては、例えば、塩化物イオンを含む水道水を電気分解することで、次亜塩素酸を含む水を生成するものが用いられる。あるいは、除菌水生成部は、金属イオン水（例えば、銀イオン、銅イオンまたは亜鉛イオンなどの金属イオンを含む水）またはオゾンを含む水を生成するものであってもよい。
【００２１】
制御部６２０は、吐水部６１０からの洗浄水の供給のオン・オフや、洗浄水の瞬間流量などを制御する。排水トラップ洗浄装置が除菌水生成部を有する場合、制御部６２０は、さらに除菌水生成部のオン・オフや除菌水の濃度などを制御可能に構成されていてもよい。図１（ａ）に表す例では、制御部６２０が浴室５００の天井の裏に設けられているが、制御部６２０は、カウンタ５３０の内部など他の場所に設けられていてもよい。
【００２２】
浴室５００の外側には、操作部ＲＣが設けられている。制御部６２０は、操作部ＲＣと接続されており、浴室５００の使用者が、操作部ＲＣを用いて排水トラップ洗浄装置６００を操作することができるように構成されている。
【００２３】
次に、図２〜図４を用いて、実施形態に係る排水トラップ１００について説明する。
図２は、実施形態に係る排水トラップ１００を表す斜視図である。
図３は、実施形態に係る排水トラップ１００を表す分解斜視図である。
図４は、実施形態に係る排水トラップ１００を表す断面図である。
なお、図４では、ヘアキャッチャ１３０が省略されている。
【００２４】
図２〜図４に表すように、排水トラップ１００は、トラップ本体１１０、封水筒１２０、ヘアキャッチャ１３０、排水ピット１４０、フランジ１５０、および接続部材１６０を有する。
【００２５】
トラップ本体１１０は、左右方向に延びる筒状の部材である。トラップ本体１１０は、複数の筒状部材が連結され、一体に構成されたものであってもよい。トラップ本体１１０の左側端部には、接続部材１６０が接続されている。接続部材１６０は、浴槽５１０の排水口に接続されており、浴槽５１０の水は、接続部材１６０を通ってトラップ本体１１０内に流れる。
【００２６】
トラップ本体１１０の上部には、開口部１１１が設けられ、入水口１８０（図４を参照）が形成されている。開口部１１１が形成された部分では、トラップ本体１１０の壁面が上方に向けて屈曲しており、これにより屈曲部１１２（図４を参照）が形成されている。
【００２７】
入水口１８０の右側部には、左右方向に向けて開口した流出口１８１が形成されている。トラップ本体１１０の流出口１８１よりも右側方は、上方に向けて屈曲しており、トラップ本体１１０の右側端部には、出水口１８２が形成されている。換言すると、流出口１８１は、入水口１８０と出水口１８２との間の流路上に位置し、出水口１８２よりも低い位置に形成されている。
【００２８】
入水口１８０および接続部材１６０からトラップ本体１１０内部に流入した水は、一時的にトラップ本体１１０内部に貯留され、流出口１８１および出水口１８２を通して不図示の配管へ排出される。
【００２９】
また、トラップ本体１１０の流出口１８１と出水口１８２との間には、突出部１１３（図４を参照）が設けられている。突出部１１３が設けられることで、トラップ本体１１０の内部に貯留される水（封水）の深さを深くすることができる。これにより、封水の蒸発や逆圧などにより封水機能が損なわれる可能性を低減することができる。
【００３０】
排水ピット１４０は、内面が中心に向けて下方に傾斜するとともに、下方に向かうほどその幅が狭くなっている。排水ピット１４０は、例えば、洗い場床５２０に固定されている。
【００３１】
排水ピット１４０の下端は、トラップ本体１１０の開口部１１１の上に設けられ、この排水ピット１４０の下端の上に、フランジ１５０が設けられている。開口部１１１の内側およびフランジ１５０の外側には、ネジ溝が形成され、開口部１１１とフランジ１５０とは締結されている。排水ピット１４０の下端は、パッキン１５１を介して、開口部１１１とフランジ１５０との間に挟み込まれ、固定されている。
【００３２】
封水筒１２０は、トラップ本体１１０の入水口１８０に着脱可能に取り付けられている。封水筒１２０は、筒状部１２１、環状部１２２、および凸部１２３を有する。筒状部１２１は、上下に貫通しており、上方から下方に向けて排水が内部を流れるように構成されている。筒状部１２１の少なくとも一部は、トラップ本体１１０内部に挿入され、トラップ本体１１０内に貯留した水に浸される。環状部１２２は、筒状部１２１の上端に連なって設けられており、筒状部１２１の上端から外方に向けて環状に延出している。
【００３３】
凸部１２３は、筒状部１２１および環状部１２２よりも厚く形成され、外方に向けて突出している。凸部１２３は、筒状部１２１の上端近傍に設けられ、開口部１１１の内壁（屈曲部１１２）と接している。
【００３４】
環状部１２２と排水ピット１４０との間には、パッキン１２４が設けられている。環状部１２２と排水ピット１４０との間がパッキン１２４によって封止されることで、環状部１２２と排水ピット１４０との隙間から排水トラップ１００内部への水の流入が抑制される。
【００３５】
ヘアキャッチャ１３０は、入水口１８０（環状部１２２の内側）に着脱可能に設けられている。ヘアキャッチャ１３０の一部は網目状に形成されており、毛髪などの異物がトラップ本体１１０に入ることを抑制している。
【００３６】
図４に表すように、排水トラップ１００には、入水口１８０と封水筒１２０の下部開口との間を繋ぐ内側流路ＩＦと、封水筒１２０の下部開口と流出口１８１との間を繋ぐ外側流路ＯＦと、が形成されている。そして、凸部１２３は、外側流路ＯＦの上壁を構成している。凸部１２３の下面は、例えば、水平である。また、凸部１２３の下面は、屈曲部１１２の下端よりも下方に位置している。
【００３７】
ここで、図５を参照しつつ、本実施形態による作用および効果について説明する。
図５は、参考例に係る排水トラップ１を表す断面図である。
排水トラップ１は、凸部１２３を有していない点で排水トラップ１００と相違する。
【００３８】
図５（ａ）は、排水トラップ１が設けられた浴室を使用した後の、排水トラップ１の状態を表している。図５（ａ）に表すように、浴室使用後の排水トラップ内には、様々な汚れが存在する。これらの汚れは、主に、沈殿汚れＡと、浮遊汚れＢと、に分けることができる。沈殿汚れＡは、水Ｗよりも密度が大きく、トラップ本体１１０の底に沈殿している。浮遊汚れＢは、水Ｗよりも密度が小さく、水Ｗに浮いている。沈殿汚れＡは、例えば、人体の皮脂や角質が固まったもの、泥などである。浮遊汚れＢは、例えば、シャンプーや石鹸の泡、泡に包まれた皮脂や角質などである。
【００３９】
図５（ｂ）は、排水トラップ１に対して、内部の沈殿汚れＡおよび浮遊汚れＢを排出するために、大流量の洗浄水を入水口１８０に供給したときの様子を表している。
図５（ｂ）に表すように、大流量の洗浄水が供給されると、排水トラップ１の底部に沈殿していた沈殿汚れＡが一時的に浮き上がり、出水口１８２から排水トラップ１の外に排出される。同様に、浮遊汚れＢの一部も、出水口１８２から排水トラップ１の外に排出される。
一方で、大流量の洗浄水が排水トラップ１に供給されると、水Ｗの水位が流出口１８１の上端よりも高くなり、浮遊汚れＢの一部が、流出口１８１の上壁に形成された凹部Ｐ（屈曲部１１２と封水筒１２０との間隙）に入り込んでしまう。凹部Ｐに入り込んだ浮遊汚れＢは、出水口１８２に向けて流れずに残留するため、排水トラップ１外へ排出され難い。
【００４０】
これに対して、本実施形態に係る排水トラップ１００では、封水筒１２０の凸部１２３によって、排水トラップ１が有する凹部Ｐが塞がれている。すなわち、排水トラップ１００では、外側流路ＯＦの上壁が、凹部を有さない形状で構成されている。このため、排水トラップ１００内の沈殿汚れを排出するために、排水トラップに大流量の洗浄水を供給した場合に、外側流路ＯＦの上壁の凹部における浮遊汚れの残留が抑制され、排水トラップ１００外への浮遊汚れの排出が容易となる。
【００４１】
図６は、実施形態の変形例に係る排水トラップ１００ａを表す断面図である。
図４に表す例では、凸部１２３の下面が水平状に形成されていたが、図６に表すように、凸部１２３の下面が流出口１８１に向かって上昇傾斜していてもよい。または、凸部１２３の下面は、一部が水平状であり、他の一部が流出口１８１に向かって上昇傾斜していてもよい。
【００４２】
このように、外側流路ＯＦの上壁を構成する凸部１２３の下面は、水平状、上昇傾斜状、または水平状と上昇傾斜状との組み合わせで構成されることが望ましい。こうすることで、外側流路ＯＦの上壁が封水筒１２０の内側に向かって上昇傾斜している場合に比べて、浮遊汚れが排水トラップ外へより排出され易くなる。
【００４３】
なお、外側流路ＯＦの上壁に凹部が形成されないように、封水筒１２０の凸部１２３に代えて、屈曲部１１２から入水口１８０の内側に向かって突出した凸部をトラップ本体１１０に設けることも可能である。または、外側流路ＯＦの上壁に凹部が形成されないように、封水筒１２０とトラップ本体１１０の両方に凸部を形成し、これらの凸部同士を接触させてもよい。
これらの構造においても、排水トラップに洗浄水が供給された際に浮遊汚れが出水口１８２に向かって流れやすくなり、浮遊汚れが排水トラップ外へ排出され易くなる。
【００４４】
ただし、排水トラップ内の清掃性を向上させるためには、封水筒１２０に、外側流路ＯＦの上壁の凹部を塞ぐための凸部が形成されていることが望ましい。すなわち、外側流路ＯＦの上壁は、封水筒１２０の凸部１２３によって全体が形成されていることが望ましい。封水筒１２０に凸部１２３が設けられ、外側流路ＯＦの上壁が凸部１２３によって形成されることで、トラップ本体１１０に凸部が形成されている場合に比べて、入水口１８０の径を大きくすることができるためである。
【００４５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トラップ本体１１０や封水筒１２０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４６】
１、１００、１００ａ 排水トラップ、  １１０ トラップ本体、  １１１ 開口部、  １１２ 屈曲部、  １１３ 突出部、  １２０ 封水筒、  １２１ 筒状部、  １２２ 環状部、  １２３ 凸部、  １２４ パッキン、  １３０ ヘアキャッチャ、  １４０ 排水ピット、  １５０ フランジ、  １５１ パッキン、  １６０ 接続部材、  １８０ 入水口、  １８１ 流出口、  １８２ 出水口、  ５００ 浴室、  ５１０ 浴槽、  ５２０ 洗い場床、  ５２１ 排水口、  ５３０ カウンタ、  ５３１ 天板、  ５３２ 下カバー、  ６００ 排水トラップ洗浄装置、  ６１０ 吐水部、  ６２０ 制御部、  Ａ 沈殿汚れ、  Ｂ 浮遊汚れ、  ＩＦ 内側流路、  ＯＦ 外側流路、  Ｐ 凹部、  ＲＣ 操作部、  Ｗ 水
【図１】
2017201081.tif 000003
【図２】
2017201081.tif 000004
【図３】
2017201081.tif 000005
【図４】
2017201081.tif 000006
【図５】
2017201081.tif 000007
【図６】
2017201081.tif 000008